(57)【要約】【課題】    現像容器内のトナー濃度に応じて定着エネルギを適切に設定できるようにすること。【解決手段】フラッシュランプ（Ｆ２）をフラッシュさせる電力が充電されるコンデンサ（１２）と、前記コンデンサ（１２）に充電する充電回路とを有し、前記コンデンサ（１２）に充電された電力により前記フラッシュランプ（Ｆ２）をフラッシュさせるフラッシュランプ駆動回路（Ｄ２）と、現像容器（Ｇ）内のトナーおよびキャリアを有する現像剤のトナー濃度（Ｔｃ）を検出する現像容器内トナー濃度センサ（ＳＮ１）と、前記現像容器内トナー濃度（Ｔｃ）の検出値が高くなると、単位時間当たりのフラッシュランプ（Ｆ２）の発光エネルギが大きくなるように、前記フラッシュランプ駆動回路（Ｄ２）の動作を制御するフラッシュランプ制御手段（Ｃ４）とを備えたフラッシュランプ式定着装置（Ｆ）。【選択図】  図４
2006258853.tif 000002
【特許請求の範囲】
【請求項１】
次の構成要件（Ａ01）〜（Ａ03）を備えたフラッシュランプ式定着装置、
（Ａ01）フラッシュランプをフラッシュさせる電力が充電されるコンデンサと、前記コンデンサに充電する充電回路とを有し、前記コンデンサに充電された電力により前記フラッシュランプをフラッシュさせるフラッシュランプ駆動回路、
（Ａ02）現像容器内のトナーおよびキャリアを有する現像剤のトナー濃度を検出する現像容器内トナー濃度センサ、
（Ａ03）前記現像容器内トナー濃度の検出値が高くなると、単位時間当たりのフラッシュランプの発光エネルギが大きくなるように、前記フラッシュランプ駆動回路の動作を制御するフラッシュランプ制御手段。
【請求項２】
次の構成要件（Ａ04）を備えた請求項１記載のフラッシュランプ式定着装置、
（Ａ04）前記現像容器内トナー濃度の検出値が高くなると、前記コンデンサに充電される電圧を高くしてフラッシュランプのフラッシュ１回当たりの発光エネルギが大きくなるように、前記フラッシュランプ駆動回路の動作を制御する前記フラッシュランプ制御手段。
【請求項３】
次の構成要件（Ａ05），（Ａ06）を備えた請求項１または２のいずれか記載のフラッシュランプ式定着装置、
（Ａ05）前記現像容器内トナー濃度の上限許容値および下限許容値を記憶する現像容器内トナー濃度許容値記憶手段、
（Ａ06）前記現像容器内トナー濃度の検出値が前記上限許容値以上または下限許容値以下になったときに、画像形成装置に異常が発生したことを告知する異常発生告知手段。
【請求項４】
次の構成要件（Ａ07）を備えた請求項１記載のフラッシュランプ式定着装置、
（Ａ07）前記現像容器内トナー濃度の検出値が高くなると、単位時間内のフラッシュランプのフラッシュ回数を増加させて単位時間当たりのフラッシュランプの発光エネルギが大きくなるように、前記フラッシュランプ駆動回路の動作を制御する前記フラッシュランプ制御手段。
【発明の詳細な説明】
【技術分野】
【０００１】
本発明は、電子写真方式のプリンタ、複写機等の画像形成装置で使用するフラッシュランプ式定着装置に関する。
【背景技術】
【０００２】
フラッシュランプ式定着装置としては、画像密度や、記録紙の性質等に応じてフラッシュランプの発光エネルギを調節する技術が従来公知である。
前記フラッシュランプの発光エネルギを調節する従来技術としては、例えば次の（１）〜（６）の技術が採用されている。
（１）特許文献１（特開昭５４−７９６３９号公報）記載の技術
特許文献１には、１画面分の画像情報量に応じてフラッシュランプに供給される蓄積電荷のエネルギ量を制御する技術が記載されている。
（２）特許文献２（実開昭６１−６８８０号公報）記載の技術
特許文献２には、検知した画像密度に応じてフラッシュランプの発光エネルギを調整するフラッシュランプ式定着装置が記載されている。
（３）特許文献３（特開平１１−１６１０８４号公報）記載の技術
特許文献３には印字密度に応じてフラッシュ電圧を調節するフラッシュランプ式定着装置が記載されている。
【０００３】
（４）特許文献４（特開昭６０−６９６７２号公報）記載の技術
特許文献４には、記録紙上に作成する画像濃度を調整する手段に連動して熱エネルギを制御する技術が記載されている。
（５）特許文献５（特開昭６１−２００５６８号公報）記載の技術
特許文献５には、使用されるトナーの素材に応じてフラッシュエネルギを制御するフラッシュランプ式定着装置が記載されている。
（６）特許文献６（特開昭５７−２０１２７３号公報）記載の技術
特許文献６には、フラッシュランプの発光エネルギを調節する手段として、フラッシュランプの発光回数を変える技術が記載されている。
【０００４】
【特許文献１】特開昭５４−７９６３９号公報
【特許文献２】実開昭６１−６８８０号公報
【特許文献３】特開平１１−１６１０８４号公報
【特許文献４】特開昭６０−６９６７２号公報
【特許文献５】特開昭６１−２００５６８号公報
【特許文献６】特開昭５７−２０１２７３号公報
【発明の開示】
【発明が解決しようとする課題】
【０００５】
（特許文献１〜６記載の技術の問題点）
前記特許文献１〜４記載の従来技術では、例えば、画像濃度を正確にコントロールできなくなって、濃度が基準値以上に濃くなった場合、エラーとして印刷が停止するまでの画像濃度と定着保証できる画像濃度との間に差が生じる場合があった。この場合、定着不良の頁数が多くなるという問題点があった。
また、従来、前記特許文献１〜６のように、フラッシュランプ式定着装置においてフラッシュエネルギを制御する種々の技術が従来公知であるが、トナーとキャリアとを有する現像剤を収容する現像容器内のトナー濃度に応じて、前記フラッシュエネルギを制御する従来技術は存在しなかった。
【０００６】
現像容器内のトナー濃度が高くなると、一般的に現像容器内のトナーの帯電量は低下するので、画像記録用紙上の画像部に転写されるトナー量（転写トナー量）が多くなる傾向にある。その場合、用紙上の定着すべきトナー量が増加することになる。前記用紙上の定着すべきトナー量が増加した場合には、定着エネルギを増加させる方が適切な定着を行うことができると考えられる。
本発明は前記事情に鑑み、次の記載内容（Ｏ01）を技術的課題とする。
（Ｏ01）現像容器内のトナー濃度に応じて定着エネルギを適切に設定できるようにすること。
【課題を解決するための手段】
【０００７】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００８】
（本発明）
前記課題を解決するために本発明のフラッシュランプ式定着装置は、次の構成要件（Ａ01）〜（Ａ03）を備えたことを特徴とする。
（Ａ01）フラッシュランプ（Ｆ２）をフラッシュさせる電力が充電されるコンデンサ（１２）と、前記コンデンサ（１２）に充電する充電回路とを有し、前記コンデンサ（１２）に充電された電力により前記フラッシュランプ（Ｆ２）をフラッシュさせるフラッシュランプ駆動回路（Ｄ２）、
（Ａ02）現像容器（Ｇ）内のトナーおよびキャリアを有する現像剤のトナー濃度（Ｔｃ）を検出する現像容器内トナー濃度センサ（ＳＮ１）、
（Ａ03）前記現像容器内トナー濃度（Ｔｃ）の検出値が高くなると、単位時間当たりのフラッシュランプ（Ｆ２）の発光エネルギが大きくなるように、前記フラッシュランプ駆動回路（Ｄ２）の動作を制御するフラッシュランプ制御手段（Ｃ４）。
【０００９】
（本発明の作用）
前記構成要件（Ａ01）〜（Ａ03）を備えた本発明のフラッシュランプ式定着装置では、フラッシュランプ駆動回路（Ｄ２）は、フラッシュランプ（Ｆ２）をフラッシュさせる電力が充電されるコンデンサ（１２）と、前記コンデンサ（１２）に充電する充電回路とを有し、前記コンデンサ（１２）に充電された電力により前記フラッシュランプ（Ｆ２）をフラッシュさせる。
現像容器内トナー濃度センサ（ＳＮ１）は、現像容器（Ｇ）内のトナーおよびキャリアを有する現像剤のトナー濃度（Ｔｃ）を検出する。
フラッシュランプ制御手段（Ｃ４）は、前記現像容器内トナー濃度（Ｔｃ）の検出値が高くなると、単位時間当たりのフラッシュランプ（Ｆ２）の発光エネルギが大きくなるように、前記フラッシュランプ駆動回路（Ｄ２）の動作を制御する。
【００１０】
（本発明の形態１）
本発明の形態１のフラッシュランプ式定着装置は、前記本発明において次の構成要件（Ａ04）を備えたことを特徴とする。
（Ａ04）前記現像容器内トナー濃度（Ｔｃ）の検出値が高くなると、前記コンデンサ（１２）に充電される電圧を高くしてフラッシュランプ（Ｆ２）のフラッシュ１回当たりの発光エネルギが大きくなるように、前記フラッシュランプ駆動回路（Ｄ２）の動作を制御する前記フラッシュランプ制御手段（Ｃ４）。
【００１１】
（本発明の形態１の作用）
前記構成要件（Ａ04）を備えた本発明の形態１のフラッシュランプ式定着装置では、前記フラッシュランプ制御手段（Ｃ４）は、前記現像容器内トナー濃度（Ｔｃ）の検出値が高くなると、前記コンデンサ（１２）に充電される電圧を高くしてフラッシュランプ（Ｆ２）のフラッシュ１回当たりの発光エネルギが大きくなるように、前記フラッシュランプ駆動回路（Ｄ２）の動作を制御する。
【００１２】
（本発明の形態２）
本発明の形態２のフラッシュランプ式定着装置は、前記本発明または前記本発明の形態１において次の構成要件（Ａ05），（Ａ06）を備えたことを特徴とする。
（Ａ05）前記現像容器内トナー濃度（Ｔｃ）の上限許容値および下限許容値を記憶する現像容器内トナー濃度許容値記憶手段（Ｃ６Ａ）、
（Ａ06）前記現像容器内トナー濃度（Ｔｃ）の検出値が前記上限許容値以上または下限許容値以下になったときに、画像形成装置（Ｕ）に異常が発生したことを告知する異常発生告知手段（Ｃ６）。
【００１３】
（本発明の形態２の作用）
前記構成要件（Ａ05），（Ａ06）を備えた本発明の形態３のフラッシュランプ式定着装置では、現像容器内トナー濃度許容値記憶手段（Ｃ６Ａ）は、前記現像容器内トナー濃度（Ｔｃ）の上限許容値および下限許容値を記憶する。
異常発生告知手段（Ｃ６）は、前記現像容器内トナー濃度（Ｔｃ）の検出値が前記上限許容値以上または下限許容値以下になったときに、前記画像形成装置（Ｕ）を停止させて異常が発生したことを告知する。
【００１４】
（本発明の形態３）
本発明の形態３のフラッシュランプ式定着装置は、前記本発明において次の構成要件（Ａ07）を備えたことを特徴とする。
（Ａ07）前記現像容器内トナー濃度（Ｔｃ）の検出値が高くなると、単位時間内のフラッシュランプのフラッシュ回数を増加させて単位時間当たりのフラッシュランプ（Ｆ２）の発光エネルギが大きくなるように、前記フラッシュランプ駆動回路（Ｄ２）の動作を制御する前記フラッシュランプ制御手段（Ｃ４）。
【００１５】
（本発明の形態３の作用）
前記構成要件（Ａ07）を備えた本発明の形態２のフラッシュランプ式定着装置では、
前記フラッシュランプ制御手段（Ｃ４）は、前記現像容器内トナー濃度（Ｔｃ）の検出値が高くなると、単位時間内のフラッシュランプのフラッシュ回数を増加させて単位時間当たりのフラッシュランプ（Ｆ２）の発光エネルギが大きくなるように、前記フラッシュランプ駆動回路（Ｄ２）の動作を制御する。
【発明の効果】
【００１６】
前述の本発明のフラッシュランプ式定着装置は、下記の効果（Ｅ01）を奏する。
（Ｅ01）現像容器内のトナー濃度に応じて定着エネルギを適切に設定することができる。
【発明を実施するための最良の形態】
【００１７】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１８】
（実施例１）
図１は本発明の実施例１のフラッシュランプ式定着装置を備えた画像形成装置の要部説明図である。
図１において、連続用紙印刷機により構成された画像形成装置Ｕは、ホストコンピュータＨＣから送信される印刷データを印刷する。前記画像形成装置Ｕは、コントローラＣ、前記コントローラＣにより制御されるユーザインタフェースＵＩ、電源回路Ｅ、レーザダイオード駆動回路ＬＤ等を有している。
【００１９】
また、前記画像形成装置Ｕは、トナー像が形成される感光体ＰＲを有している。回転する感光体ＰＲの表面は、帯電ロールＣＲにより一様に帯電される。前記帯電した感光体ＰＲ表面は、レーザダイオードＬＤと回転多面鏡ＫＫを有する光学系とを有するＲＯＳ（潜像形成装置）が出射するレーザビームＬにより静電潜像が形成される。なお、前記レーザダイオードＬＤは、前記レーザダイオード駆動回路ＬＤにより駆動される。
前記静電潜像は現像器Ｇによりトナー像に現像される。前記トナー像は、転写ロールＴｒに対向する転写領域Ｑ１を通過するシートに転写される。前記転写後の感光体ＰＲ表面の残留トナーはクリーナＣＬによりクリーニングされる。
なお、前記現像器Ｇの容器内部にはトナーとキャリアとを有する２成分現像剤が収容されており、現像容器内トナー濃度はトナー濃度センサＳＮ１により検出される。
【００２０】
前記感光体ＰＲの下方には、軸ＢＭａ回りに回動可能なベルトフレームＢＭが配置されており、ベルトフレームＢＭは駆動ローラＲｄ、従動ローラＲｆおよびテンションローラＲｔ、転写ローラＴｒを有する複数のベルト支持ローラ（Ｒｄ，Ｒｆ，Ｒｔ，Ｔｒ）を回転可能に支持している。前記複数のベルト支持ローラ（Ｒｄ，Ｒｆ，Ｒｔ，Ｔｒ）によりエンドレスの用紙搬送ベルトＢが回転可能に支持されている。
なお、前記帯電ローラＣＲ、転写ローラＴｒの代わりに転写コロトロン、帯電器（チャージコロトロン）を使用可能である。
前記駆動ロールＲｄを回転することにより、用紙搬送ベルトＢを回転させることができる。用紙搬送ベルトＢは、転写ロールＴｒにより前記感光体ＰＲ表面に圧接されている。そして、用紙搬送ベルトＢと感光体ＰＲとの圧接領域により前記転写領域Ｑ１が形成されている。
【００２１】
前記画像形成装置Ｕの内部の左側下部には、連続用紙Ｐを収容する給紙トレイＴＲ１が配置されており、前記画像形成装置Ｕの右側の外側下部には、連続用紙Ｐが排出される排紙トレイＴＲ２が配置されている。
前記給紙トレイＴＲ１に収容された連続用紙Ｐは、連続用紙搬送用のトラクタＫ１と、一対のロールＲ１ａ，Ｒ１ｂを有する用紙搬送ロールＲ１とにより前記転写領域Ｑ１に搬送される。
【００２２】
（用紙フィード用のトラクタ）
図２は前記図１に示すトラクタの説明図で、図２Ａはトラクタにより連続シートを搬送する状態を示す図、図２Ｂは前記図２Ａに示すトラクタの側面図である。
図１、図２において、画像形成装置の図示しないフレームにより回転軸Ａ１ｄが回転可能に支持され、固定軸Ａ１ｒが固定支持されている。前記回転軸Ａ１ｄおよび固定軸Ａ１ｒにより一対のトラクタＫ１，Ｋ１が軸方向に位置調節可能に支持されている。
【００２３】
図２Ａにおいて、送り孔付き連続用紙Ｐ１の用紙先端はＰ１ａで示されている。送り孔付き連続用紙Ｐには、用紙搬送方向に所定間隔離れる毎に折り線（直線に沿って小さい孔（またはスリット等）が形成された部分）Ｐ１ｂが形成されている。また、送り孔付き連続用紙Ｐの用紙幅方向両側には用紙搬送方向に沿って一定間隔ａで且つ用紙搬送方向同一位置に送り孔Ｐ１ｃが形成されている。
【００２４】
図２Ａにおいて、前記用紙幅方向に離れて配置された前後一対のトラクタＫ１，Ｋ１の中の前側（Ｘ側）のトラクタＫ１は固定軸Ａ１ｒに固定支持されている。後側（−Ｘ側）のトラクタＫ１は固定軸Ａ１ｒおよび回転軸Ａ１ｄ上にスライド可能且つ固定可能に支持されており、使用される連続用紙の幅に応じて固定軸Ａ１ｒ上で位置調節可能である。
各トラクタＫ１，Ｋ１はトラクタフレーム１を有している。トラクタフレーム１には軸受２，３が装着されており、前記回転軸Ａ１ｄ、固定Ａ１ｒは前記軸受２，３により前記トラクタフレーム１に対して回転可能に支持されている。
【００２５】
前記回転軸Ａ１ｄ、固定軸Ａ１ｒにはそれぞれタイミングプーリ４，５が装着されている。前記トラクタフレーム１と前記軸受２，３と、前記タイミングプーリ４，５とにより、ピンベルト（ピン付き回転体）６を回転可能に支持するベルト支持部材（回転体支持部材）（１〜５）が構成されている。図２Ａ、図２Ｂにおいて、ピンベルト（ピン付き回転体）６の外周には複数のトラクタピン６ａが一定間隔ａで設けられている。前記トラクタピン６ａは前記送り孔Ｐｂに嵌合可能である。
【００２６】
図２において、前記回転軸Ａ１ｄと各トラクタＫ１，Ｋ１のタイミングプーリ４とは一体的に回転する。前記各トラクタＫ１，Ｋ１のタイミングプーリ５は固定軸Ａ１ｒに対して回転自由である。回転軸Ａ１ｄの後端に固定したギヤＧ１は、回転軸Ａ１ｄと一体的に回転する。
したがって、前記ギヤＧ１が回転すると、回転軸Ａ１ｄおよびタイミングプーリ４が一体的に回転する。このとき、前記各トラクタＫ１，Ｋ１のピンベルト６が回転して連続用紙Ｐが搬送される。
前記トラクタＫ１，Ｋ１、用紙搬送ロールＲ１（図１参照）により搬送された連続用紙Ｐは、前記用紙搬送ベルトＢにより定着領域Ｑ１に搬送される。連続用紙Ｐは、定着領域Ｑ１を通過する際に感光体ＰＲ上のトナー像が転写される。
【００２７】
トナー像が転写された連続用紙Ｐは、前記用紙搬送ベルトＢにより定着領域Ｑ２に搬送される。定着領域Ｑ２には、フラッシュランプ式定着装置Ｆの用紙ガイドＦ１とフラッシュランプＦ２が配置されている。前記連続用紙Ｐ上のトナー像は前記定着領域Ｑ２を通過する際に連続的にフラッシュするフラッシュランプＦ２により加熱定着されて排出ローラＲ２から前記排紙トレイＴＲ２に排出される。
【００２８】
図３はフラッシュランプを駆動するフラッシュランプ駆動回路の説明図である。
図３において、フラッシュランプＦ２を駆動するフラッシュランプ駆動回路Ｄ２（後述する図４参照）は、定着用電源回路Ｅ４と、充電用高電圧発生回路１１と、充放電コンデンサ１２と、トリガ電圧発生回路１３とを有している。前記充電用高電圧発生回路１１は、定着用電源回路Ｅ４から充放電コンデンサ１２を充電するための高電圧を発生する。前記充電用高電圧発生回路１１は、従来公知であり、従来公知の種々の回路を採用可能である。
前記トリガ電圧発生回路１３は、直列接続された抵抗１３ａとトリガ用コンデンサ１３ｂとを有している。前記トリガ用コンデンサ１３ｂには、昇電圧コイル１３ｃの一次巻線および前記一次巻線に直列接続されたトリガスイッチ１３ｄとが並列接続されている。前記トリガスイッチ１３ｄと昇電圧コイル１３ｃの二次巻線巻線とトリガ用電極１３ｅとは、直列に接続されている。
前記トリガスイッチ１３ｄがオンになると１３ｂの充電電流が前記昇電圧コイル１３ｃの一次巻線とトリガスイッチ１３ｄとを流れる。
前記昇電圧コイル１３ｃの二次巻線には、高電圧が誘導される。前記トリガ用電極１３ｅは、フラッシュランプＦ２をフラッシュするトリガ電圧が印加される。
【００２９】
（実施例１の制御部の説明）
図４は前記実施例１の制御部のブロック線図である。
図４において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３０】
（実施例１のブロック線図の説明）
（前記コントローラＣに接続された信号出力要素）
前記コントローラＣは、ＵＩ（ユーザインタフェース）、現像容器内トナー濃度センサＳＮ１等の信号出力要素からの出力信号が入力されている。
前記ＵＩは、テンキーＵＩ1、表示部ＵＩ2、基準充電電圧Ｖ0入力キーＵＩ3、…等を備えている。
前記現像容器内トナー濃度センサＳＮ１は、現像容器Ｇ内のトナーおよびキャリアを有する現像剤のトナー濃度を検出する。
【００３１】
（前記コントローラＣに接続された被制御要素）
また、コントローラＣは、メインモータ駆動回路Ｄ１、フラッシュランプ式定着装置Ｆのフラッシュランプ駆動回路Ｄ２、電源回路Ｅ、その他の制御要素に接続されており、それらの作動制御信号を出力している。
メインモータ駆動回路Ｄ1は、メインモータＭ1を介して感光体ＰＲ、現像器Ｇの現像ロール等を回転駆動する。
【００３２】
前記電源回路Ｅは現像バイアス用電源回路Ｅ1、帯電用電源回路Ｅ2、転写ロール用電源回路Ｅ3、定着用電源回路Ｅ4等を有している。
現像バイアス用電源回路Ｅ1は現像器Ｇの現像ロールに現像バイアス電圧を印加する。
帯電用電源回路Ｅ2は帯電ロールＣＲに感光体ＰＲ表面を帯電させるための帯電電圧を印加する。
転写ロール用電源回路Ｅ3は転写ロールＴｒに転写電圧を印加する。
定着用電源回路Ｅ4は、フラッシュランプ式定着装置ＦのフラッシュランプＦ２を設定された充電電圧および発光周期でフラッシュさせるための電圧を前記フラッシュランプＦ２に印加する。
【００３３】
（前記コントローラＣの機能）
前記コントローラＣは、前記信号出力要素からの入力信号に応じた処理を実行して、前記各制御要素に制御信号を出力する機能を有している。
すなわち、コントローラＣは次の機能を有している。
Ｃ１：ジョブ制御手段
ジョブ制御手段Ｃ１は、画像形成装置Ｕの各部材を制御して、画像形成動作であるジョブの開始、終了、中断の制御を行う。
Ｃ２：メインモータ回転制御手段
メインモータ回転制御手段Ｃ２は、前記メインモータ駆動回路Ｄ１を介してメインモータＭ１を制御し、感光体ＰＲや感光体クリーナＣＬ等の部材の回転駆動を制御する。
Ｃ３：電源回路制御手段
電源回路制御手段Ｃ３は、電源回路Ｅを制御して、現像器Ｇ等の各部材への電圧印加・電流供給を制御する。
【００３４】
Ｃ４：フラッシュランプ制御手段
フラッシュランプ制御手段Ｃ４は、フラッシュランプ式定着装置Ｆのフラッシュランプ駆動回路Ｄ２を制御する。
Ｃ４Ａ：充電電圧設定手段
充電電圧設定手段Ｃ４Ａは、昇電圧コイル１３ｃの一次巻線とトリガスイッチ１３ｄとに印加される充電電圧を設定する。
Ｃ４Ａ１：基準充電電圧Ｖ0記憶手段
基準充電電圧Ｖ0記憶手段Ｃ４Ａ１は、基準充電電圧Ｖ0を記憶する。
Ｃ４Ｂ：発光周期設定手段
発光周期設定手段Ｃ４Ｂは、フラッシュランプＦ２を発光させる周期を設定する。
Ｃ４Ｂ１：基準発光周期T0記憶手段
基準発光周期T0記憶手段Ｃ４Ｂ１は、フラッシュランプＦ２を発光させる基準発光周期T0を記憶する。
Ｃ４Ｃ：トリガスイッチ制御手段
トリガスイッチ制御手段Ｃ４Ｃは、トリガスイッチ１３ｄを制御することにより、前記トリガスイッチ１３ｄに流れる充電電流を制御する。
【００３５】
Ｃ５：現像容器内トナー濃度検出手段
現像容器内トナー濃度検出手段Ｃ５は、現像容器内のトナー濃度を現像容器内トナー濃度センサＳＮ１により検出する。
Ｃ６：異常発生告知手段は、前記現像容器内トナー濃度Ｔｃの検出値が前記上限許容値以上または下限許容値以下になったときに、装置に異常が発生したこと告知する。
Ｃ６Ａ：現像容器内トナー濃度許容値記憶手段
現像容器内トナー濃度許容値記憶手段Ｃ６Ａは、前記現像容器内トナー濃度Ｔｃの上限許容値および下限許容値を記憶する。
【００３６】
（フローチャートの説明）
図５は本発明の実施例１のフラッシュ用充電電圧処理のフローチャートである。
図５のフローチャートの各ＳＴ（ステップ）の処理は、前記コントローラＣのＲＯＭやハードディスクに記憶されたプログラムに従って行われる。また、この処理は画像形成装置Ｕの他の各種処理（ジョブ実行中の処理や、感光体クリーナに一時的に保持したトナーを吐出して回収するクリーニング作業の処理等）と並行して実行される。
図５に示すフラッシュ用充電電圧処理フローは画像形成装置Ｕの電源オンにより開始される。
【００３７】
図５のＳＴ１において、画像形成動作であるジョブが開始されたか否かを判別する。ノー（Ｎ）の場合はＳＴ１を繰り返し、イエス（Ｙ）の場合はＳＴ２に移る。
ＳＴ２において、現像容器内のトナー濃度Ｔｃを現像容器内トナー濃度センサＳＮ１により検出する。
ＳＴ３において、トナー濃度Ｔｃ＜５％であるか否かを判断する。ノー（Ｎ）の場合はＳＴ４に移り、イエス（Ｙ）の場合はＳＴ５に移る。
ＳＴ４において、トナー濃度Ｔｃ＞１８％であるか否かを判断する。ノー（Ｎ）の場合はＳＴ６に移り、イエス（Ｙ）の場合はＳＴ５に移る。
ＳＴ５において、次の処理を実行する。
（１）ユーザインタフェイスＵＩの表示部ＵＩａにエラー発生を表示する。
（２）画像形成装置Ｕを停止する。
次に、前記ＳＴ１に戻る。
【００３８】
前記ＳＴ４においてノー（Ｎ）の場合に移るＳＴ６において、前記トナー濃度Ｔｃが５％≦Ｔｃ＜１０％であるか否かを判断する。ノー（Ｎ）の場合はＳＴ８に移り、イエス（Ｙ）の場合はＳＴ７に移る。
ＳＴ７において、充電電圧Ｖを０.８Ｖ0に設定し、前記ＳＴ１に戻る。
ＳＴ８において、前記トナー濃度Ｔｃが１０％≦Ｔｃ＜１４％であるか否かを判断する。ノー（Ｎ）の場合はＳＴ１０に移り、イエス（Ｙ）の場合はＳＴ９に移る。
ＳＴ９において、充電電圧Ｖを基準受電電圧Ｖ0に設定し、前記ＳＴ１に戻る。
ＳＴ１０において、充電電圧Ｖを１.２Ｖ0に設定する。すなわち、前記充電電圧Ｖを１.２Ｖ0に設定する場合、前記現像容器Ｇ内のトナー濃度Ｔｃが１４％≦Ｔｃ＜１８％となる。次に、前記ＳＴ１に戻る。
【００３９】
図６は本発明の実施例１のフラッシュランプ制御処理のフローチャートである。
図６のフローチャートの各ＳＴ（ステップ）の処理は、前記図５に示すフラッシュ用充電電圧処理のフローと同様に、画像形成装置Ｕの他の各種処理と並行して実行される。
図６に示すフラッシュランプ制御処理フローは画像形成装置Ｕの電源オンにより開始される。
図６のＳＴ１１において、画像形成動作であるジョブが開始されたか否かを判別する。ノー（Ｎ）の場合はＳＴ１１を繰り返し、イエス（Ｙ）の場合はＳＴ１２に移る。
ＳＴ１２において、前記図５のフラッシュ用充電電圧処理のフローで設定された充電電圧及び発光周期でフラッシュランプＦ２を発光させる。
ＳＴ１３において、ジョブ終了か否かを判断する。ノー（Ｎ）の場合は前記ＳＴ１２に戻り、イエス（Ｙ）の場合はＳＴ１４に移る。
ＳＴ１４において、フラッシュランプＦ２の発光を停止する。そして、前記ＳＴ１１に戻る。
【００４０】
（実施例１の作用）
前記構成を備えた実施例１のフラッシュランプ式定着装置（Ｆ）では、フラッシュランプ駆動回路Ｄ２のコンデンサ１２は、フラッシュランプＦ２をフラッシュさせる電力が充電される。前記フラッシュランプＦ２は、前記コンデンサ１２に充電された電力により前記フラッシュランプＦ２をフラッシュさせる。
現像容器内トナー濃度センサＳＮ１は、現像容器Ｇ内のトナーおよびキャリアを有する現像剤のトナー濃度Ｔｃを検出する。
フラッシュランプ制御手段Ｃ４は、前記現像容器内トナー濃度Ｔｃの検出値が高くなると、単位時間当たりのフラッシュランプＦ２の発光エネルギが大きくなるように、前記フラッシュランプ駆動回路Ｄ２の動作を制御する。実施例１のフラッシュランプ制御手段Ｃ４は、前記現像容器内トナー濃度Ｔｃの検出値が高くなると、前記コンデンサ１２に充電される電圧を高くしてフラッシュランプＦ２のフラッシュ１回当たりの発光エネルギが大きくなるように、前記フラッシュランプ駆動回路Ｄ２の動作を制御する。このため、現像容器Ｇ内のトナー濃度に応じて定着エネルギを適切に設定することができる。また、異常発生告知手段Ｃ６は、現像容器内トナー濃度許容値記憶手段Ｃ６Ａで記憶された前記現像容器内トナー濃度センサＳＮ１の検出値が前記上限許容値以上または下限許容値以下になったときに、前記画像形成装置Ｕを停止させて異常が発生したことを告知する。
【００４１】
（実施例２）
図７は実施例２の制御部のブロック線図である。
この実施例２の説明において、前記実施例１の構成要素に対応する構成要素には同一の符号を付して、その詳細な説明を省略する。この実施例２は下記の点で前記実施例１と相違しているが、その他の点では前記実施例１と同様に構成されている。
図７に示す実施例２の制御部において、充電電圧設定手段Ｃ４Ａは、基準充電電圧Ｖ0記憶手段Ｃ４Ａ１と１０頁毎充電電圧設定手段Ｃ４Ａ２とを有している。
Ｃ４Ａ２：１０頁毎充電電圧設定手段
１０頁毎充電電圧設定手段Ｃ４Ａ２は、連続用紙Ｐに１０頁分の転写が終わる毎に前記現像容器内トナー濃度センサＳＮ１の検出値に応じて前記フラッシュランプ駆動回路Ｄ２に印加する電圧を再設定する。
【００４２】
図８は実施例２のフラッシュ用充電電圧処理のフローチャートである。
前記ＳＴ７、ＳＴ９、ＳＴ１０の処理が終了すると移るＳＴ１１ａにおいて、ジョブ終了か否かを判断する。ノー（Ｎ）の場合はＳＴ１１ｂに移り、イエス（Ｙ）の場合は前記ＳＴ１に戻る。
ＳＴ１１ｂにおいて、１０頁分連続転写したか否かを判断する。ノー（Ｎ）の場合は前記ＳＴ１１ａに戻り、イエス（Ｙ）の場合はＳＴ１１ｃに移る。
ＳＴ１１ｃにおいて、ジョブ終了か否かを判断する。ノー（Ｎ）の場合は前記ＳＴ２に戻り、イエス（Ｙ）の場合は前記ＳＴ１に戻る。
【００４３】
（実施例２の作用）
実施例２の作用は、前記実施例１と同様で、フラッシュランプ制御手段Ｃ４は、前記現像容器内トナー濃度Ｔｃの検出値が高くなると、前記コンデンサ１２に充電される電圧を高くしてフラッシュランプＦ２のフラッシュ１回当たりの発光エネルギが大きくなるように、前記フラッシュランプ駆動回路Ｄ２の動作を制御する。このため、現像容器Ｇ内のトナー濃度に応じて定着エネルギを適切に設定することができる。また、実施例２では、連続用紙Ｐに１０頁分の転写が終わる毎に前記現像容器内トナー濃度センサＳＮ１の検出値に応じて前記フラッシュランプ駆動回路Ｄ２に印加する電圧を再設定する。このため、実施例２と前記実施例１とを比較した場合、実施例２の方が定着エネルギを適切に設定することができる。
【００４４】
（実施例３）
図９は本発明の実施例３の画像形成装置の説明図である。
図９において、実施例３の画像形成装置としてのカラープリンタＵは、トナーを補給するためのトナーディスペンサー装置Ｕａを有している。カラープリンタＵのＹ（イエロー）、Ｍ（マゼンタ）、Ｃ（シアン）、Ｋ（黒）の各色のトナー像形成装置ＵＹ，ＵＭ，ＵＣ，ＵＫの潜像形成装置ＲＯＳｙ，ＲＯＳｍ，ＲＯＳｃ，ＲＯＳｋは、各色のレーザ駆動回路ＤＬのレーザ駆動信号に応じて画像書込用のレーザビームＬｙ，Ｌｍ，Ｌｃ，Ｌｋを出射する。
コントローラＣは、ホストコンピュータＨＣから送信された画像データを受信し、前記画像データに応じた前記レーザ駆動回路ＤＬおよび電源回路Ｅの制御信号を出力している。また、コントローラＣは、ユーザインタフェースＵＩとの間で制御信号の入出力も行っている。
【００４５】
図９において、Ｋ（黒）のトナー像形成装置ＵＫのドラム状の感光体（１次トナー像担持体）Ｐｋの周囲には、帯電部材としての帯電ロールＣＲｋ、現像器Ｇｋ、ブラシ状の感光体クリーナ（トナー吸着保持部材）ＣＬｋ等が配置されている。そして、他のトナー像形成装置ＵＹ，ＵＭ，ＵＣの前記感光体（１次トナー像担持体）Ｐｙ，Ｐｍ，Ｐｃの周囲にもそれぞれ前記感光体Ｐｋの周囲と同様の帯電ロール（帯電部材）ＣＲｙ，ＣＲｍ，ＣＲｃ、現像器Ｇｙ，Ｇｍ，Ｇｃ、感光体クリーナＣＬｙ，ＣＬｍ，ＣＬｃ等が配置されている。
【００４６】
図９において、感光体Ｐｙ，Ｐｍ，Ｐｃ，Ｐｋは、それぞれ帯電ロールＣＲｙ，ＣＲｍ，ＣＲｃ，ＣＲｋにより一様に帯電された後、前記潜像形成装置ＲＯＳｙ，ＲＯＳｍ，ＲＯＳｃ，ＲＯＳｋの出力するレーザビームＬｙ，Ｌｍ，Ｌｃ，Ｌｋによりその表面に静電潜像が形成される。
前記感光体Ｐｙ，Ｐｍ，Ｐｃ，Ｐｋ表面の静電潜像は、現像器Ｇｙ，Ｇｍ，Ｇｃ，ＧｋによりＹ（イエロー）、Ｍ（マゼンタ）、Ｃ（シアン）、Ｋ（黒）の色のトナー像に現像される。各現像器Ｇｙ，Ｇｍ，Ｇｃ，Ｇｋには前記トナーディスペンサー装置Ｕａに装着された各色のトナーカートリッジ（図示せず）からトナーが補給されるように構成されている。
【００４７】
各感光体Ｐｙ，Ｐｍ，Ｐｃ，Ｐｋに対向して配置された１次転写ロール（１次転写部材）Ｔ１ｙ〜Ｔ１ｋには、トナーを感光体Ｐｙ〜Ｐｋから中間転写ベルトＢに転写するための電界を発生させるためにトナーの帯電極性とは逆極性の１次転写バイアスが印加されている。
したがって、感光体Ｐｙ，Ｐｍ，Ｐｃ，Ｐｋ表面上のトナー像は、１次転写器としての１次転写ロールＴ１ｙ，Ｔ１ｍ，Ｔ１ｃ，Ｔ１ｋにより中間転写ベルト（中間転写部材、中間トナー像担持体）Ｂ上に順次重ねて転写され、中間転写ベルトＢ上にカラー画像が形成される。なお、黒画像データのみの場合はＫ（黒）の感光体Ｐｋおよび現像器Ｇｋのみが使用され、黒のトナー像のみが形成される。
【００４８】
１次転写後、感光体Ｐｙ，Ｐｍ，Ｐｃ，Ｐｋ表面の残留トナーは、感光体Ｐｙ〜Ｐｋの回転方向とは逆方向に回転駆動し且つトナーを吸着するバイアス（トナーの帯電極性と逆極性のバイアス）が印加されるブラシ状の感光体クリーナＣＬｙ，ＣＬｍ，ＣＬｃ，ＣＬｋによって機械的に感光体表面から掻き取られて一時的に吸着保持される。そして、感光体Ｐｙ〜Ｐｋ表面から掻き取られて一時的に保持された残留トナーは、所定のタイミングでトナーを吐出するバイアスが印加されて感光体Ｐｙ〜Ｐｋ表面上に戻され（吐出され）、後述するベルトクリーナＣＬｂまで搬送されて回収される。なお、前記感光体クリーナＣＬｙ〜ＣＬｋに一時的に保持されたトナーを吐出してベルトクリーナＣＬｂで回収する技術は、例えば、特開２００３−２９５８８公報や特開２００３−２９５８９号公報に記載されているように従来公知であるので詳細な説明は省略する。また、前記感光体クリーナＣＬｙ〜ＣＬｋは、トナーを一時的に吸着保持するクリーナに限定されず、クリーナ容器に回収する感光体クリーナ等、種々の方法を採用することができる。
【００４９】
図９において、前記各色の感光体Ｐｙ，Ｐｍ，Ｐｃ，Ｐｋの下方には中間転写ベルト（中間転写部材）Ｂと、ベルト駆動ロールＲｄ、テンションロールＲｔ、バックアップロールＴ２ａを含む複数のベルト支持ロール（Ｒｄ，Ｒｔ，Ｔ２ａ，Ｒｆ，Ｒｗ）とが配置されている。前記中間転写ベルトＢは前記複数のベルト支持ロールにより矢印Ｙａ方向に回転移動可能に支持されている。
【００５０】
前記バックアップロールＴ２ａの下方にはシート転写ユニットＵtが配置されている。シート転写ユニットＵtの２次転写ロール（シート転写ロール）Ｔ２ｂは、前記中間転写ベルトＢを挟んで配置されており、前記２次転写ロールＴ２ｂが中間転写ベルトＢと圧接する領域（ニップ）により２次転写領域Ｑ４が形成されている。２次転写ロールＴ２ｂにはブラシ状の２次転写ロールクリーナ（トナー吸着保持部材）ＣＬｔが接触している。前記２次転写ロールクリーナＣＬｔも、前記感光体クリーナＣＬｙ〜ＣＬｋと同様に２次転写ロールＴ２ｂ表面に付着したトナーを掻き取り一時的に保持する。
【００５１】
前記中間転写ベルトＢ下方には、給紙トレイＴＲ１、前記給紙トレイＴＲ１から取り出したシートＳを搬送するシート搬送路ＳＨ１、シート循環路ＳＨ２およびシート反転路ＳＨ３が配置されている。
給紙トレイＴＲ１に収容されたシートＳは、所定のタイミングでピックアップロールＲｐにより取り出され、さばきロールＲｓで１枚づつ分離されて、シート搬送路ＳＨ１の搬送ローラＲａによりレジロールＲｒに搬送される。前記レジロールＲｒに搬送された記録シートＳは、前記１次転写された多重トナー像または単色トナー像が２次転写領域Ｑ４に移動するのにタイミングを合わせて、転写前シートガイドＳＧ１から２次転写領域Ｑ４に搬送される。
【００５２】
また、前記バックアップロールＴ２ａにはコンタクトロールＴ２ｃが当接しており、コントクトロールＴ２ｃには２次転写領域を記録シートＳが通過する時にタイミングを合わせてトナーの帯電極性と同極性の２次転写電圧（２次転写バイアス）が印加される。このとき、中間転写ベルトＢから記録シートＳにトナー像が転写される。
前記ロールＴ２ａ〜Ｔ２ｃにより２次転写器（２次転写部材）Ｔ２が構成されている。
【００５３】
２次転写後の前記中間転写ベルトＢは、ベルトクリーナＣＬｂによりクリーニングされる。前記ベルトクリーナＣＬｂには、図示しない電源回路によってバイアスが印加され、２次転写後の残留トナーや前記感光体クリーナＣＬｙ〜ＣＬｋや２次転写ロールクリーナＣＬｔから吐出され中間転写ベルトＢにより搬送されたトナーが回収される。なお、このようにバイアスが印加されるベルトクリーナＣＬｂは従来公知であり、前述の特開２００３−２９５８８号公報、特開２００３−２９５８９号公報等に記載されているので詳細な説明は省略する。そして、ベルトクリーナＣＬｂで回収されたトナーは、図示しないトナー回収ボックスに搬送される。
【００５４】
前記トナー像が２次転写された記録シートＳは、転写後シートガイドＳＧ２、搬送ベルトＢＨを通ってフラッシュランプ式定着装置Ｆに搬送される。フラッシュランプ式定着装置Ｆは、記録シートＳの下面を支持して搬送するシート搬送部材Ｆ１と、前記シート搬送部材Ｆ１の上方に対向して配置されたフラッシュランプＦ２とを有する。前記フラッシュランプＦ２は、設定された周期で発光し、シート搬送部材Ｆ１により搬送される記録シートＳ表面のトナーに発光エネルギーを供給する。したがって、フラッシュランプ式定着装置Ｆに搬送された記録シートＳの未定着トナー像は、フラッシュランプ式定着装置ＦのフラッシュランプＦ２とシート搬送部材Ｆ１との間の定着領域Ｑ５を通過する際に記録シートＳに定着される。
前記搬送ベルトＢＨと前記フラッシュランプ式定着装置Ｆとの間には、シートセンサＳＮ２が配置されており、前記シートセンサＳＮ２はフラッシュランプ式定着装置Ｆに搬送される記録シートＳの前端および後端を検出する。
【００５５】
定着された記録シートＳは、切替ゲートＧ１により、シート排出ローラＲｈまたはシート循環路ＳＨ２に搬送される。シート排出ローラＲｈに搬送された記録シートはシート排出トレイＴＲ２に排出される。
シート循環路ＳＨ２に搬送された記録シートは切替ゲートＧ２によりシート反転路ＳＨ３に搬送された後スイッチバックしてシート循環路ＳＨ２から前記レジロールＲｒを通って、表裏反転した状態で２次転写領域Ｑ４に再送される。
【００５６】
（実施例３の制御部の説明）
図１０は実施例３の制御部のブロック線図である。
この実施例３の制御部の説明において、前記実施例２の構成要素と同一の構成要素には同一の符号を付して、その詳細な説明を省略する。この実施例３の制御部の構成は下記の点で前記実施例２の制御部と相違しているが、その他の点では前記実施例２の制御部と同様である。
図１０において、実施例３のコントローラＣは次の機能を有している。
Ｃ７：シート前端の定着領域進入時検出手段
シート前端の定着領域進入時検出手段Ｃ７は、シート前端の定着領域進入時間記憶手段Ｃ７Ａとシート前端の定着領域進入時検出用タイマＴＭ１とを有している。
Ｃ７Ａ：シート前端の定着領域進入時間記憶手段
シート前端の定着領域進入時間記憶手段Ｃ７Ａは、シートセンサＳＮ２により記録シートＳの前端が検出されてから定着領域Ｑ５に進入するまでの時間を記憶する。
ＴＭ１：シート前端の定着領域進入時検出用タイマ
シート前端の定着領域進入時検出用タイマＴＭ１は、シートセンサＳＮ２により記録シートＳの前端が検出されてから定着領域Ｑ５に進入するまでの時間を計測する。
【００５７】
Ｃ８：シート後端の定着領域通過時検出手段
シート後端の定着領域通過時検出手段Ｃ８は、シート後端の定着領域通過時間記憶手段Ｃ８Ａとシート後端の定着領域通過時検出用タイマＴＭ２とを有している。
Ｃ８Ａ：シート後端の定着領域通過時間記憶手段
シート後端の定着領域通過時間記憶手段Ｃ８Ａは、シートセンサＳＮ２により記録シートＳの後端が検出されてから定着領域Ｑ５を前記記録シートＳの後端が通過するまでの時間を記憶する。
ＴＭ２：シート前端の定着領域進入時検出用タイマ
シート後端の定着領域通過時検出用タイマＴＭ１は、シートセンサＳＮ２により記録シートＳの後端が検出されてから定着領域Ｑ５を前記記録シートＳの後端が通過するまでの時間を計測する。
【００５８】
図１１は実施例３のフラッシュ用充電電圧処理のフローチャートである。
図１１において、実施例３のフラッシュ用充電電圧処理のフローにおいて、前記実施例２のフラッシュ用充電電圧処理のフローと同一の処理には同一のＳＴを付して、その詳細な説明を省略する。
図１１のＳＴ１１ａでノー（Ｎ）の場合に移るＳＴ１１ｂ′において、フラッシュランプ式定着装置Ｆは１０頁分定着したか否かを判断する。ノー（Ｎ）の場合は前記ＳＴ１１ａに戻り、イエス（Ｙ）の場合はＳＴ１１ｃに移る。
【００５９】
図１２は実施例３のフラッシュランプ制御処理のフローチャートである。
図１２のＳＴ２１において、画像形成動作であるジョブが開始されたか否かを判別する。ノー（Ｎ）の場合はＳＴ２１を繰り返し、イエス（Ｙ）の場合はＳＴ２２に移る。
ＳＴ２２において、記録シートＳの前端が定着領域に進入したか否かを判断する。すなわち、記録シートＳの前端をシートセンサＳＮ２が検出してからシート前端が定着領域Ｑ５に到達するまでの時間が経過したか否かを判断する。ノー（Ｎ）の場合はＳＴ２２を繰り返し、イエス（Ｙ）の場合はＳＴ２３に移る。
ＳＴ２３において、前記図１１のフラッシュ用充電電圧処理のフローで設定された充電電圧及び発光周期でフラッシュランプＦ２を発光させる。
ＳＴ２４において、シート後端が定着領域を通過したか否かを判断する。すなわち、記録シートＳの後端をシートセンサＳＮ２が検出してからシート後端が定着領域Ｑ５を通過するまでの時間が経過したか否かを判断する。ノー（Ｎ）の場合は前記ＳＴ２３に戻り、イエス（Ｙ）の場合はＳＴ２５に移る。
ＳＴ２５において、フラッシュランプＦ２の発光を停止する。
ＳＴ２６において、ジョブ終了か否かを判断する。ノー（Ｎ）の場合は前記ＳＴ２２に戻り、イエス（Ｙ）の場合は前記ＳＴ２１に戻る。
【００６０】
（実施例３の作用）
前記構成を備えた実施例３のフラッシュランプ式定着装置Ｆでは、フラッシュランプ制御手段Ｃ４は、前記現像容器内トナー濃度Ｔｃの検出値が高くなると、前記コンデンサ１２に充電される電圧を高くしてフラッシュランプＦ２のフラッシュ１回当たりの発光エネルギが大きくなるように、前記フラッシュランプ駆動回路Ｄ２の動作を制御する。また、実施例３のフラッシュランプ式定着装置Ｆは、記録シートＳへの定着が１０頁分終わる毎に前記現像容器内トナー濃度センサＳＮ１の検出値に応じて前記フラッシュランプ駆動回路Ｄ２に印加する電圧を再設定する。このため、現像容器Ｇ内のトナー濃度に応じて定着エネルギを適切に設定することができる。
【産業上の利用可能性】
【００６１】
（変更例）
（Ｈ01）フラッシュランプ式定着装置のフラッシュエネルギは、充放電コンデンサの充電電圧を高くする代わりに、単位時間のフラッシュ回数を増加することにより調節することが可能である。
【図面の簡単な説明】
【００６２】
【図１】図１は本発明の実施例１のフラッシュランプ式定着装置を備えた画像形成装置の要部説明図である。
【図２】図２は前記図１に示すトラクタの説明図で、図２Ａはトラクタにより連続シートを搬送する状態を示す図、図２Ｂは前記図２Ａに示すトラクタの側面図である。
【図３】図３はフラッシュランプを駆動するフラッシュランプ駆動回路の説明図である。
【図４】図４は前記実施例１の制御部のブロック線図である。
【図５】図５は本発明の実施例１のフラッシュ用充電電圧処理のフローチャートである。
【図６】図６は本発明の実施例１のフラッシュランプ制御処理のフローチャートである。
【図７】図７は実施例２の制御部のブロック線図である。
【図８】図８は実施例２のフラッシュ用充電電圧処理のフローチャートである。
【図９】図９は本発明の実施例３の画像形成装置の説明図である。
【図１０】図１０において、実施例３のコントローラＣは次の機能を有している。
【図１１】図１１は実施例３のフラッシュ用充電電圧処理のフローチャートである。
【図１２】図１２は実施例３のフラッシュランプ制御処理のフローチャートである。
【符号の説明】
【００６３】
１２…コンデンサ、Ｃ４…フラッシュランプ制御手段、Ｃ６…異常発生告知手段、Ｃ６Ａ…現像容器内トナー濃度許容値記憶手段、Ｄ２…フラッシュランプ駆動回路、Ｆ２…フラッシュランプ、Ｇ…現像容器、ＳＮ１…現像容器内トナー濃度センサ、Ｔｃ…トナー濃度、Ｕ…画像形成装置。
【図１】
2006258853.tif 000003
【図２】
2006258853.tif 000004
【図３】
2006258853.tif 000005
【図４】
2006258853.tif 000006
【図５】
2006258853.tif 000007
【図６】
2006258853.tif 000008
【図７】
2006258853.tif 000009
【図８】
2006258853.tif 000010
【図９】
2006258853.tif 000011
【図１０】
2006258853.tif 000012
【図１１】
2006258853.tif 000013
【図１２】
2006258853.tif 000014